(57)【要約】【課題】特有の外形形状を有する段ボール積層体を構成する段ボール板紙を容易に積層することができる積層方法を提供することを目的とする。【解決手段】板状の段ボール板紙からなる複数の積層片１０を積層して段ボール積層体１を形成する際に、積層片１０を略枠体状に、且つ各積層片１０に開口する内孔１１を同一形状に形成し、台座２１に略棒形状の基準軸２２が立設された治具を用いて、各積層片１０を所定の順番で、内孔１１の所定の部位、あるいは任意の部位を基準軸２２に摺接させつつ、挿通して、台座２１上に積層し、積層した各積層片１０を接着し、一体の段ボール積層体１とする。【選択図】図１
2011235602.tif 000002
【特許請求の範囲】
【請求項１】
板状の段ボール板紙からなる複数の積層片を積層して段ボール積層体を形成する段ボール積層体の積層方法であって、
前記積層片を略枠体状に、且つ各積層片に開口する内孔を同一形状に形成し、
台座に略棒形状の基準軸が立設された治具を用いて、
各積層片を所定の順番で、該内孔の所定の部位、あるいは任意の部位を該基準軸に摺接させつつ、挿通して、該台座上に積層し、
積層した各積層片を接着し、一体の段ボール積層体とすることを特徴とする段ボール積層体の積層方法。
【請求項２】
請求項１に記載の段ボール積層体の積層方法において、
前記一体の段ボール積層体の積層方向端部に前記内孔を具備しない平板状の積層片を積層、接着し、該内孔を閉止することを特徴とする段ボール積層体の積層方法。
【発明の詳細な説明】
【技術分野】
【０００１】
本発明は、板状の段ボール材を積層し、様々な形状の段ボール積層体を形成する際の積層方法に関する。
【背景技術】
【０００２】
この種の従来の段ボール積層体として、特許文献１に開示されたものがある。この段ボール積層体は、観賞用小動物飼育器のケース内に配設される巣穴構造物を構成している。巣穴構造物には、巣穴空間が形成されている。巣穴構造物は、巣穴空間形成部が打抜かれた段ボール板紙を積層させることで構成されており、隣接する巣穴空間形成部が１つの空間を構成することで、巣穴空間が形成されている。
【０００３】
このような巣穴構造物は、ケース内に配設されるため、外形形状の一部がケース内部の形状に合わせて形成されている。このような段ボール板紙を積層する際には、段ボール板紙のケース内面に当接する部位を基準として重ね合わせる方法が一般的に採用されている。
【先行技術文献】
【特許文献】
【０００４】
【特許文献１】特開２００４−１５９５４１号公報
【発明の概要】
【発明が解決しようとする課題】
【０００５】
しかしながら、特許文献１の巣穴構造物のように外形形状の一部を基準として重ね合わせる方法では、外形形状に意匠性を持たせることができないため、段ボール板紙を１枚１枚基準無しに重ねなければならず、積層作業が困難であった。
【０００６】
そこで、本発明は、前記した課題を解決すべくなされたものであり、特有の外形形状を有する段ボール積層体を構成する段ボール板紙を容易に積層することができる積層方法を提供することを目的とする。
【課題を解決するための手段】
【０００７】
請求項１の発明は、板状の段ボール板紙からなる複数の積層片を積層して段ボール積層体を形成する段ボール積層体の積層方法であって、前記積層片を略枠体状に、且つ各積層片に開口する内孔を同一形状に形成し、台座に略棒形状の基準軸が立設された治具を用いて、各積層片を所定の順番で、該内孔の所定の部位、あるいは任意の部位を該基準軸に摺接させつつ、挿通して、該台座上に積層し、積層した各積層片を接着し、一体の段ボール積層体とすることを特徴としている。
【０００８】
請求項２の発明は、請求項１に記載の段ボール積層体の積層方法において、前記一体の段ボール積層体の積層方向端部に前記内孔を具備しない平板状の積層片を積層、接着し、該内孔を閉止することを特徴としている。
【発明の効果】
【０００９】
請求項１の発明によれば、枠体状の積層片を積層する際に、内孔を基準軸に摺接させつつ挿通、積層することで、容易に積層片を積層することができるので、意匠性のある特有の外形形状を有する段ボール積層体を簡便に形成することができる。
【００１０】
請求項２の発明によれば、請求項１の発明の効果に加え、意匠上、内孔を表出させたくない場合であっても、内孔を表出することなく段ボール積層体を簡便に形成することができる。
【図面の簡単な説明】
【００１１】
【図１】本発明の一実施形態を示し、段ボール積層体の完成状態を示す斜視図である。
【図２】本発明の一実施形態を示し、段ボール積層体を構成する部品を示す斜視図である。
【図３】本発明の一実施形態を示し、上方治具を示す斜視図である。
【図４】本発明の一実施形態を示し、上方治具を用いて積層片を積層し、上方筒部を構成する様子を示す斜視図である。
【図５】本発明の一実施形態を示し、下方治具を用いて積層片を積層し、下方台部を構成する様子を示す斜視図である。
【図６】本実施形態の別態様を示し、治具を用いて積層片を積層し、段ボール積層体を構成する様子を示す斜視図である。
【発明を実施するための形態】
【００１２】
以下、本発明の一実施形態を図面に基づいて説明する。本実施形態の段ボール積層体１は、図１示されるように、複数の積層片１０を積層し、接着することで、一体に形成されている。また、段ボール積層体１は、図２に示されるように、上方筒部１ａ、中間蓋部１ｂ、および下方台部１ｃとから構成されており、上方筒部１ａ、下方台部１ｃをそれぞれ形成し、下方台部１ｃに中間蓋部１ｂを積層したものに、上方筒部１ａを組合わせることで、図１に示すように、一体に形成されている。上方筒部１ａ、下方台部１ｃは、後述する本願の積層方法で積層され、枠体状の積層片１０を積層、接着し、一体としたものである。
【００１３】
上方筒部１ａを構成する上方積層片１０ａ（積層片１０）は、板状の段ボール板紙から円形の板片を切抜き、さらにこの板片の中央部に円形の上方内孔１１ａ（内孔１１）を開口することで、環状の枠体に形成される。このような上方積層片１０ａを複数作成する。なお、これら上方積層片１０ａの外周径Ｒ１０ａは、各上方積層片１０ａ毎に所定の直径に設定され、上方内孔１１ａの径（内周径ｒ１１ａ）は、全て同一に設定されている。
【００１４】
中間蓋部１ｂを構成する積層片は、板状の段ボール板紙から所定の直径で切抜かれた円形の板片である。なお、中間蓋部１ｂには、内孔は形成されていない。
【００１５】
下方台部１ｃを構成する下方積層片１０ｃ（積層片１０）は、板状の段ボール板紙から円形の板片を切抜き、さらにこの板片の中央部に円形の下方内孔１１ｃ（内孔１１）を開口することで、円環状の枠体に形成される。このような下方積層片１０ｃを複数作成する。なお、これら下方積層片１０ｃの外周径Ｒ１０ｃは、各下方積層片１０ｃ毎に所定の直径に設定され、下方内孔１１ｃの径（内周径ｒ１１ｃ）は、後述する下方治具２０ｃの下方基準軸２２ｃの直径と同一に設定されている。
【００１６】
上方筒部１ａ、および下方台部１ｃを形成する際には、それぞれ上方治具２０ａ、下方治具２０ｃが用いられる。
【００１７】
上方治具２０ａ（治具２０）は、図３に示すように、上方台座２１ａ（台座２１）に４本の上方基準軸２２ａ（基準軸２２）が立設されている。また、４本の上方基準軸２２ａの上端には、上方内孔１１ａと同一形状の上方天板２３ａが配置されている。そして、各上方基準軸２２ａは、図３、図４の破線で示されるように、上方治具２０ａを上方から見下ろして、外周の一部が上方天板２３ａの外周と接しつつ、且つ上方天板２３ａの投影面からはみ出さないように上方台座２１ａに配置されている。
【００１８】
下方治具２０ｃ（治具２０）は、下方台座２１ｃ（台座２１）に１本の下方基準軸２２ｃ（基準軸２２）が立設されている。また、下方基準軸２２ｃは、断面形状が下方内孔１１ｃと同一形状となるように形成されている。
【００１９】
次に、段ボール積層体１を積層する手順について説明する。
【００２０】
まず、上方筒部１ａを積層する手順として、所定の上方積層片１０ａを用意し、上方治具２０ａの上方天板２３ａとともに、上方基準軸２２ａを用意した上方積層片１０ａの上方内孔１１ａに挿通し、上方内孔１１ａを上方基準軸２２ａに摺接させながら、上方台座２１ａ上に配置する。次に、上方台座２１ａ上に配置された上方積層片１０ａの上面に接着剤を塗布する。以上の２工程を所定の上方積層片１０ａの順に繰返して、上方積層片１０ａを積層し、積層が完了したところで、上方治具２０ａから上方筒部１ａを取外す。
【００２１】
下方台部１ｃを積層する手順として、上方筒部１ａの場合と同様に、まず所定の下方積層片１０ｃを用意し、下方基準軸２２ｃを用意した下方積層片１０ｃの下方内孔１１ｃに挿通し、下方内孔１１ｃを下方基準軸２２ｃに摺接させながら、下方台座２１ｃ上に配置する。次に、下方台座２１ｃ上に配置された下方積層片１０ｃの上面に接着剤を塗布する。以上の２工程を所定の下方積層片１０ｃの順に繰返して、図５に示すように、下方積層片１０ｃを積層し、積層が完了したところで、下方治具２０ｃから下方台部１ｃを取外す。
【００２２】
次に、下方台部１ｃ最上面に接着剤を用いて、中間蓋部１ｂを貼付け、中間蓋部１ｂが貼付けられた下方台部１ｃ最上面に、接着剤を用いて、積層された上方筒部１ａを貼付け、段ボール積層体１が完成する。
【００２３】
上記構成、および手順において、枠体状の積層片１０を積層する際に、内孔を基準軸２２に摺接させつつ挿通、積層することで、容易に積層片１０を積層することができるので、意匠性のある特有の外形形状を有する段ボール積層体１を簡便に形成することができる。
【００２４】
また、意匠上、内孔を表出させたくない場合であっても、中間蓋部１ｂによって下方台部１ｃの下方内孔１１ｃを閉止するなどにより、内孔を表出することなく段ボール積層体１を簡便に形成することができる。
【００２５】
上方筒部１ａ内に物品を配置し、本実施形態の段ボール積層体１をディスプレー台として用いる場合、下方台部１ｃがディスプレー台の底部を構成することになるが、下方内孔１１ｃの開口面積は下方基準軸２２ｃの断面積と同じに設定することで、開口面積を小さくすることができ、充分な強度を備えることができる。
【００２６】
次に、図６に示される別態様の段ボール積層体１０１を積層する場合について説明する。上記実施形態の段ボール積層体１と大きく異なるのは、積層片１１０の形状である。上記積層片１０の内孔１１が円形に形成されているのに対し、本態様の積層片１１０の内孔１１１は矩形形状に形成されている。なお、これら積層片１０の内孔１１の形状は、全て同一の矩形形状に設定されている。また、各積層片１１０の外周形状は、矩形形状であるが、各辺は所定の寸法に設定されるとともに、周方向に所定の角度毎にずれ、積層した際に、外周が徐々に捻れるような形状に設定されている。
【００２７】
治具１２０は、台座１２１に４本の基準軸１２２が立設されている。また、４本の基準軸１２２の上端には、内孔１１１と同一な矩形形状の天板１２３が配置されている。そして、各基準軸１２２は、図６の破線で示されるように、治具１２０をから見下ろして、外周の一部が天板１２３の四隅と接しつつ、且つ天板１２３の投影面からはみ出さないように台座１２１に配置されている。
【００２８】
本態様の積層方法では、治具１２０の天板１２３とともに、基準軸１２２を用意した積層片１１０の内孔１１１に挿通する際に、各積層片１１０の向きが基準軸１２２によって規制されるため、積層片１１０の向きに注意しながら積層する手間が省かれるので、上記実施形態での作用効果に加え、さらに積層作業を簡便にすることができる。
【符号の説明】
【００２９】
１…段ボール積層体
１ｂ…中間蓋部（積層片）
１０…積層片
１０ａ…上方積層片（積層片）
１０ｃ…下方積層片（積層片）
１１…内孔
１１ａ…上方内孔（内孔）
１１ｃ…下方内孔（内孔）
２１…台座
２１ａ…上方台座（台座）
２１ｃ…下方（台座）
２２…基準軸
２２ａ…上方基準軸（基準軸）
２２ｃ…下方基準軸（基準軸）
【図１】
2011235602.tif 000003
【図２】
2011235602.tif 000004
【図３】
2011235602.tif 000005
【図４】
2011235602.tif 000006
【図５】
2011235602.tif 000007
【図６】
2011235602.tif 000008